(57)【特許請求の範囲】
【請求項１】
基礎コンクリートの天端面に基礎パッキンを介して載置された建物を、該基礎コンクリートに植設されて該基礎パッキンの通孔を通るアンカーボルトによって該基礎コンクリートに固定する建物の基礎構造において、
基礎パッキンの通孔の内部で、基礎コンクリートの天端面におけるアンカーボルトの周りに載置される筒状体からなり、該アンカーボルトの周りに注入硬化される硬化性液状充填剤のグラウトを保持する小区画を該筒状体の内部に形成してなるグラウト保持材を用いてなることを特徴とする建物の基礎構造。
【請求項２】
前記グラウト保持材が、基礎コンクリートの天端面に接する筒状体の底面に、該筒状体の周方向に沿う環状溝が設けられ、該筒状体を該基礎コンクリートの天端面に接着する接着剤が該環状溝に塗布可能にされる請求項１に記載の建物の基礎構造。
【請求項３】
請求項１に記載の建物の基礎構造の施工方法であって、
基礎パッキンの底面に接着剤を塗布し、この基礎パッキンの底面を基礎コンクリートの天端面に載置する工程と、
グラウト保持材の筒状体を基礎パッキンの通孔の内部で、基礎コンクリートの天端面におけるアンカーボルトの周りに載置する工程と、
グラウト保持材の筒状体の小区画に、硬化性液状充填剤のグラウトを注入し、該グラウトをアンカーボルトの周りに硬化させる工程と、
上記グラウトの注入後に、建物の土台が基礎パッキンを介して基礎コンクリートの天端面に載置され、上記アンカーボルトによって該基礎コンクリートに固定される工程とを有する建物の基礎構造の施工方法。
【請求項４】
前記グラウト保持材の筒状体の底面に、該筒状体の周囲に沿う環状溝が設けられ、該筒状体の底面の環状溝に接着剤を塗布し、この筒状体の底面を基礎コンクリートの天端面に載置する請求項３に記載の建物の基礎構造の施工方法。
【発明の詳細な説明】
【技術分野】
【０００１】
本発明はグラウト保持材、建物の基礎構造、及びその施工方法に関する。
【背景技術】
【０００２】
建物の基礎構造として、特許文献１に記載の如く、基礎コンクリートの天端面に基礎パッキンを介して載置された建物を、該基礎コンクリートに植設されて該基礎パッキンの通孔を通るアンカーボルトによって該基礎コンクリートに固定するものがある。この基礎構造では、基礎パッキンが備える通気孔により、建物の床下換気性を向上できる。
【０００３】
また、従来の建物の基礎構造として、特許文献２に記載の如く、基礎パッキンの通孔の内部に硬化性液状充填材のグラウトを注入硬化するものがある。この基礎構造では、地震や台風等の水平力によって建物が水平方向へ相対移動するとき、アンカーボルトの基礎コンクリートから突出した部分に大きな曲げ応力が作用するのを防止できる。
【先行技術文献】
【特許文献】
【０００４】
【特許文献１】特許4589502
【特許文献２】特開2004-250966
【発明の概要】
【発明が解決しようとする課題】
【０００５】
従来技術では、基礎パッキンの通孔の内部に注入したグラウトが、基礎パッキンの通孔の内部から通気孔を経て外部に流出してしまい、アンカーボルトに作用する曲げ応力の抑制効果を損なうおそれがある。
【０００６】
また、従来技術では、グラウトを基礎パッキンの通孔の内部の大区画の全域に注入しており、アンカーボルトの周りに注入硬化させるべきグラウトを必要以上に大量に用いるものになる。
【０００８】
本発明の課題は、基礎パッキンの通孔を通るアンカーボルトの周りに注入硬化させるべきグラウトの必要量を低減することにある。
【課題を解決するための手段】
【００１０】
請求項１に係る発明は、基礎コンクリートの天端面に基礎パッキンを介して載置された建物を、該基礎コンクリートに植設されて該基礎パッキンの通孔を通るアンカーボルトによって該基礎コンクリートに固定する建物の基礎構造において、基礎パッキンの通孔の内部で、基礎コンクリートの天端面におけるアンカーボルトの周りに載置される筒状体からなり、該アンカーボルトの周りに注入硬化される硬化性液状充填剤のグラウトを保持する小区画を該筒状体の内部に形成してなるグラウト保持材を用いてなるようにしたものである。
【００１１】
請求項２に係る発明は、請求項１に係る発明において更に、前記グラウト保持材が、基礎コンクリートの天端面に接する筒状体の底面に、該筒状体の周方向に沿う環状溝が設けられ、該筒状体を該基礎コンクリートの天端面に接着する接着剤が該環状溝に塗布可能にされるようにしたものである。
【００１２】
請求項３に係る発明は、請求項１に記載の建物の基礎構造の施工方法であって、基礎パッキンの底面に接着剤を塗布し、この基礎パッキンの底面を基礎コンクリートの天端面に載置する工程と、グラウト保持材の筒状体を基礎パッキンの通孔の内部で、基礎コンクリートの天端面におけるアンカーボルトの周りに載置する工程と、グラウト保持材の筒状体の小区画に、硬化性液状充填剤のグラウトを注入し、該グラウトをアンカーボルトの周りに硬化させる工程と、上記グラウトの注入後に、建物の土台が基礎パッキンを介して基礎コンクリートの天端面に載置され、上記アンカーボルトによって該基礎コンクリートに固定される工程とを有するようにしたものである。
【００１３】
請求項４に係る発明は、請求項３に係る発明において更に、前記グラウト保持材の筒状体の底面に、該筒状体の周囲に沿う環状溝が設けられ、該筒状体の底面の環状溝に接着剤を塗布し、この筒状体の底面を基礎コンクリートの天端面に載置するようにしたものである。
【発明の効果】
【００１６】
（請求項１）
(a)グラウト保持材が、基礎パッキンの通孔の内部で、基礎コンクリートの天端面におけるアンカーボルトの周りに載置される筒状体からなり、該アンカーボルトの周りに注入硬化されるグラウトを保持する小区画を該筒状体の内部に形成してなるものとされる。従って、基礎パッキンの通孔を通るアンカーボルトの周りに注入硬化させるべきグラウトを基礎パッキンの通孔の内部の大区画の全域に注入することなく、基礎パッキンの通孔の内部に設けられるグラウト保持材の筒状体の内部の小区画に注入すれば足り、該グラウトの必要量を低減できる。
【００１７】
（請求項２）
(b)グラウト保持材が、基礎コンクリートの天端面に接する筒状体の底面に、該筒状体の周方向に沿う環状溝が設けられ、該筒状体を該基礎コンクリートの天端面に接着する接着剤が該環状溝に塗布される。従って、グラウト保持材の筒状体の底面を基礎コンクリートの天端面に隙間なく密着し、該筒状体の内部のアンカーボルトの周りに注入硬化されるグラウトの流出を防止できる。グラウトが基礎パッキンの通気孔を経て外部に流出する如くがない。
【００１８】
このとき、グラウトの筒状体を基礎コンクリートの天端面に接着する接着剤は、筒状体の底面の環状溝に塗布され、環状溝の内部に留置されるから、筒状体の底面を基礎コンクリートの天端面に接着する過程で、削ぎ落とされたりするおそれがない。そして、筒状体の底面を基礎コンクリートの天端面に載置したとき、環状溝に塗布された接着剤が重力で基礎コンクリートの天端面に垂れ落ちて確実に付着するものになる。
【００１９】
（請求項３）
(c)基礎パッキンの底面に接着剤を塗布し、この基礎パッキンの底面を基礎コンクリートの天端面に載置する工程と、グラウト保持材の筒状体を基礎パッキンの通孔の内部で、基礎コンクリートの天端面におけるアンカーボルトの周りに載置する工程と、グラウト保持材の筒状体の小区画に、硬化性液状充填剤のグラウトを注入し、該グラウトをアンカーボルトの周りに硬化させる工程とを有する。これにより、前述(a)の作用効果を奏するものになる。
【００２０】
（請求項４）
(d)上述(c)において、グラウト保持材の筒状体の底面に、該筒状体の周囲に沿う環状溝が設けられ、該筒状体の底面の環状溝に接着剤を塗布し、この筒状体の底面を基礎コンクリートの天端面に載置する。これにより、前述(b)の作用効果を奏するものになる。
【図面の簡単な説明】
【００２１】
【図１】図１は基礎パッキンを示す模式図である。
【図２】図２は基礎パッキンに接着剤を塗布した状態を示す模式図である。
【図３】図３はグラウト保持材を示す模式図である。
【図４】図４はグラウト保持材に接着剤を塗布した状態を示す模式図である。
【図５】図５は基礎パッキンの内部に載置したグラウト保持材のアンカーボルト周りにグラウトを注入する状態を示す模式図である。
【発明を実施するための形態】
【００２２】
図１に示した基礎パッキン１０は、ユニット建物等の建物の土台の外周に沿う基礎コンクリート１（図５）の天端面１Ａに連続状に設けられる。建物の土台は、基礎パッキン１０を介して基礎コンクリート１の天端面１Ａに載置され、基礎コンクリート１に植設されて該基礎パッキン１０の後述する通孔１３を通るアンカーボルト２によって該基礎コンクリート１に固定される。
【００２３】
基礎パッキン１０は、図１に示す如く、例えば特開2003-301532、特開2005-330798等に記載のものを採用できる。即ち、基礎パッキン１０は、通常、厚さが10〜30mm、幅が70〜200mmである。長さは、500〜2000mm程度と長尺で、これを直列に連結し、また、場合によっては、適当に切断して使用される。材質は、剛性〜多少弾性を持ったもの、例えば、合成樹脂、ゴム、金属、セラミック等が使用可能である。
【００２４】
基礎パッキン１０には、幅方向に抜ける多数の通気孔１１が形成されている。更に、各通気孔１１は、上下いずれかの壁面に開放部１２が形成されている。また、基礎パッキン１０には、その平面中央部にアンカーボルト２が通るための四角形の通孔１３が、全長に渡って連続的に形成されている。このように、コンクリート基礎１と建物の土台との間に介装された基礎パッキン１０には多数の通気孔１１が形成されているから、この孔を通って空気の流通が可能であり、床下換気を図ることができる。更に、通気孔１１の上面又は下面のいずれかが開放形状になっているので、通気性に富み、かつコンクリート基礎１や建物の土台の接触面を乾燥させることができる。
【００２５】
基礎パッキン１０は、図２に示す如く、該基礎パッキン１０の底面１０Ａを基礎コンクリート１の天端面１Ａに載置するとき、該基礎パッキン１０の底面１０Ａに接着剤１４を塗布するものとしている。
【００２６】
以下、地震や台風等の水平力によって建物が水平方向へ相対移動するとき、アンカーボルト２の基礎コンクリート１から突出する部分に大きな曲げ応力が作用するのを防止するため、アンカーボルト２の周りに注入硬化されるグラウト３を保持するグラウト保持材２０について説明する。グラウト３は、硬化性液状充填材であり、例えば主剤と硬化剤とを混合した２液硬化性のエポキシ樹脂からなる。
【００２７】
グラウト保持材２０は、図３に示す如く、基礎コンクリート１０の通孔１３の内部で、基礎コンクリート１の天端面１Ａにおけるアンカーボルト２の周りに載置される、基礎パッキン１０の通孔１３の孔寸法より小枠寸法の筒状体２１からなる。グラウト保持材２０は、アンカーボルト２の周りに注入硬化されるグラウト３を保持する小区画２２を該筒状体２１の内部に形成している。筒状体２１は四角筒等の中空筒体からなる。
【００２８】
グラウト保持材２０は、図３、図４に示す如く、基礎コンクリート１の天端面１Ａに接する筒状体２１の底面２１Ａに、該筒状体２１の周方向の全周に沿う環状溝２３が設けられる。筒状体２１の底面２１Ａを基礎コンクリート１の天端面１Ａに載置するとき、該筒状体２１の底面２１Ａを基礎コンクリート１の天端面１Ａに接着する接着剤２４が環状溝２３に塗布される。
【００２９】
従って、基礎パッキン１０とグラウト保持材２０を用いた建物の基礎構造の施工方法は、以下の通りになる。
【００３０】
(1)基礎パッキン１０の底面１０Ａに接着剤１４を塗布する（図２）。この基礎パッキン１０の底面１０Ａを基礎コンクリート１の天端面１Ａに載置して接着する。
【００３１】
(2)グラウト保持材２０における筒状体２１の底面２１Ａの環状溝２３に接着剤２４を塗布する（図４）。この筒状体２１の底面２１Ａを基礎パッキン１０の通孔１３の内部で、基礎コンクリート１の天端面１Ａにおけるアンカーボルト２の周りに載置して接着する。筒状体２１の底面２１Ａを基礎コンクリート１の天端面１Ａに載置したとき、環状溝２３に塗布された接着剤２４が重力で基礎コンクリート１の天端面１Ａに垂れ落ちて確実に付着するものになる。
【００３２】
(3)グラウト保持材２０の筒状体２１の小区画２２に、図５に示す如く、注入容器４に装填されているグラウト３を注入し、該グラウト３をアンカーボルト２の周りに硬化させる。
【００３３】
従って、本実施例によれば以下の作用効果を奏する。
(a)グラウト保持材２０が、基礎パッキン１０の通孔１３の内部で、基礎コンクリート１の天端面１Ａにおけるアンカーボルト２の周りに載置される筒状体２１からなり、該アンカーボルト２の周りに注入硬化されるグラウト３を保持する小区画２２を該筒状体２１の内部に形成してなるものとされる。従って、基礎パッキン１０の通孔１３を通るアンカーボルト２の周りに注入硬化させるべきグラウト３を基礎パッキン１０の通孔１３の内部の大区画の全域に注入することなく、基礎パッキン１０の通孔１３の内部に設けられるグラウト保持材２０の筒状体２１の内部の小区画２２に注入すれば足り、該グラウト３の必要量を低減できる。
【００３４】
(b)グラウト保持材２０が、基礎コンクリート１の天端面１Ａに接する筒状体２１の底面２１Ａに、該筒状体２１の周方向に沿う環状溝２３が設けられ、該筒状体２１を該基礎コンクリート１の天端面１Ａに接着する接着剤２４が該環状溝２３に塗布される。従って、グラウト保持材２０の筒状体２１の底面２１Ａを基礎コンクリート１の天端面１Ａに隙間なく密着し、該筒状体２１の内部のアンカーボルト２の周りに注入硬化されるグラウト３の流出を防止できる。グラウト３が基礎パッキン１０の通気孔１１を経て外部に流出する如くがない。
【００３５】
このとき、グラウト３の筒状体２１を基礎コンクリート１の天端面１Ａに接着する接着剤２４は、筒状体２１の底面２１Ａの環状溝２３に塗布され、環状溝２３の内部に留置されるから、筒状体２１の底面２１Ａを基礎コンクリート１の天端面１Ａに接着する過程で、削ぎ落とされたりするおそれがない。そして、筒状体２１の底面２１Ａを基礎コンクリート１の天端面１Ａに載置したとき、環状溝２３に塗布された接着剤２４が重力で基礎コンクリート１の天端面１Ａに垂れ落ちて確実に付着するものになる。
【００３６】
(c)基礎パッキン１０の底面１０Ａに接着剤１４を塗布し、この基礎パッキン１０の底面１０Ａを基礎コンクリート１の天端面１Ａに載置する工程と、グラウト保持材２０の筒状体２１を基礎パッキン１０の通孔１３の内部で、基礎コンクリート１の天端面１Ａにおけるアンカーボルト２の周りに載置する工程と、グラウト保持材２０の筒状体２１の小区画２２に、硬化性液状充填剤のグラウト３を注入し、該グラウト３をアンカーボルト２の周りに硬化させる工程とを有する。これにより、前述(a)の作用効果を奏するものになる。
【００３７】
(d)上述(c)において、グラウト保持材２０の筒状体２１の底面２１Ａに、該筒状体２１の周囲に沿う環状溝２３が設けられ、該筒状体２１の底面２１Ａの環状溝２３に接着剤２４を塗布し、この筒状体２１の底面２１Ａを基礎コンクリート１の天端面１Ａに載置する。これにより、前述(b)の作用効果を奏するものになる。
【００３８】
尚、グラウト保持材２０は、基礎コンクリート１の天端面１Ａにおけるアンカーボルト２の周りに載置される筒状体２１からなり、該アンカーボルト２のまわりに注入硬化されるグラウト３を筒状体２１の内部に保持するものに限らず、広く一般のコンクリートに植設されたアンカーボルトの周りに注入硬化されるグラウトを筒状体の内部に保持するものに適用できる。
【００３９】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４１】
本発明は、基礎コンクリートの天端面に基礎パッキンを介して載置された建物を、該基礎コンクリートに植設されて該基礎パッキンの通孔を通るアンカーボルトによって該基礎コンクリートに固定する建物の基礎構造において、基礎パッキンの通孔の内部で、基礎コンクリートの天端面におけるアンカーボルトの周りに載置される筒状体からなり、該アンカーボルトの周りに注入硬化される硬化性液状充填剤のグラウトを保持する小区画を該筒状体の内部に形成してなるグラウト保持材を用いてなる。これにより、基礎パッキンの通孔を通るアンカーボルトの周りに注入硬化させるべきグラウトの必要量を低減することができる。
【符号の説明】
【００４２】
１  基礎コンクリート
１Ａ  天端面
２  アンカーボルト
３  グラウト
１０  基礎パッキン
１０Ａ  底面
１３  通孔
１４  接着剤
２０  グラウト保持材
２１  筒状体
２１Ａ  底面
２２  小区画
２３  環状溝
２４  接着剤
【図１】
0005919001.tif 000002
【図２】
0005919001.tif 000003
【図３】
0005919001.tif 000004
【図４】
0005919001.tif 000005
【図５】
0005919001.tif 000006